(57)【要約】【課題】  接地端子への２本目の接地線の接続が容易なコンセントを提供する。【解決手段】  前面に端子収納凹部１２が設けられたハウジング１と、端子収納凹部１２に収納された接地端子２とを備える。接地端子２は、接地端子板２１と、接地端子板２１との間に接地線を挟持する座金２３と、接地端子板２１に螺合して座金２３を接地端子板２１に押し付ける端子ねじ２２とを備える。ハウジング１において、端子ねじ２２の左右両側に、それぞれ、座金２３の前面に当接して座金２３の変位を制限する制限凸部１２ｅを突設した。例えば端子ねじ２２の左側において接地線を座金２３と接地端子板２１との間に挿入したときに座金２３の回転によって端子ねじ２１の右側において座金２３と接地端子板２１との間の隙間が小さくなる程度が制限凸部１２ｅによって抑えられるから、２本目の接地線の接続が比較的に容易となる。【選択図】図１
2009238533.tif 000002
【特許請求の範囲】
【請求項１】
栓刃挿入口が少なくとも１組前面に設けられ施工面に取り付けられるハウジングと、それぞれハウジング内に収納され電源に電気的に接続されるとともに栓刃挿入口から挿入される栓刃に接触導通する複数個の刃受けと、ハウジングの前面の端部に設けられた端子収納凹部内に収納され前方から見てハウジングの外側となる接地線挿入方向から端子収納凹部内に導入された接地線が接続される接地端子とを備え、
接地端子は、ハウジングに対して固定され前面に開口したねじ穴を有する接地端子板と、頭部を前方へ向けて接地端子板のねじ穴に螺合する端子ねじと、端子ねじが挿通されるねじ挿通穴を有し端子ねじの頭部と接地端子板との間に挟まれることにより厚さ方向を前後方向に向けて接地端子板の前側に取り付けられ接地端子板との間に接地線を挟持する座金とを有し、
ハウジングには、前方から見て、接地線挿入方向に直交する方向での端子ねじの両側に、それぞれ、座金の前面に当接して座金の変位を制限する制限凸部が突設されていることを特徴とするコンセント。
【請求項２】
制限凸部は、端子ねじよりも接地線挿入方向の奥側に設けられていることを特徴とする請求項１記載のコンセント。
【請求項３】
ハウジングにおいて接地線挿入方向の手前側の端には、端子収納凹部の内外を連通させる挿通切欠が設けられていて、
挿通切欠の幅寸法は、Ｙ型圧着端子の幅寸法よりも小さくされていることを特徴とする請求項１又は請求項２記載のコンセント。
【請求項４】
座金の接地線挿入方向での手前側の端部において、前方から見て端子ねじの頭部に対して接地線挿入方向に並ぶ部位に、他の部位よりも後方に突出する阻止凸部を設けたことを特徴とする請求項１〜３のいずれか１項に記載のコンセント。
【請求項５】
座金に対して保持される被保持部と、端子ねじに対して接地線挿入方向の手前側に並ぶ位置において座金の接地線挿入方向での手前側の端面よりも後方に突出する阻止部とを有する阻止部材を備えることを特徴とする請求項１〜３のいずれか１項に記載のコンセント。
【請求項６】
端子ねじの頭部と座金の前面との間にＹ型圧着端子を挿入するように指示するメッセージを表示した表示手段を備えることを特徴とする請求項１〜５のいずれか１項に記載のコンセント。
【発明の詳細な説明】
【技術分野】
【０００１】
本発明は、接地線が接続される接地端子を有するコンセントに関するものである。
【背景技術】
【０００２】
従来から、接地線が接続される接地端子を備えるコンセントが提供されている。接地端子としては、接地端子板と、接地端子板に螺合する端子ねじと、端子ねじによって接地端子板に押し付けられ接地端子板との間に接地線を挟持する座金とを備えるものがある（例えば、特許文献１参照）。
【０００３】
本発明者は、この種のコンセントの小型化のため、図１２〜図１４に示すように、接地極の栓刃（図示せず）が接続される接地栓刃挿入口１０ｃを、接地端子２が収納された端子収納凹部１２内に設けることを提案している。以下、上下左右は図１２を基準とし、図１２の紙面手前方向を前方向と呼んで図１２〜図１４のコンセントについて詳しく説明する。つまり、図１４の上下方向を前後方向と呼び、図１４の右下−左上方向を左右方向と呼び、図１４の左下−右上方向を上下方向と呼ぶ。
【０００４】
このコンセントは、図１４に示すように、充電部が収納される収納凹部１１が前面に設けられたボディ１ａと、３個１組の栓刃挿入口１０が前面に上下に並べて２組設けられボディ１ａの前側に結合して収納凹部１１を覆うカバー１ｂとで構成されたハウジング１を備える。また、カバー１ｂの下端部には、後側の開口をボディ１ａに閉塞されて端子収納凹部１２を構成する接地端子穴１２ｂが前後に貫設されている。さらに、端子収納凹部１２に収納されて接地線が接続される接地端子２を備える。また、ハウジング１には、端子収納凹部１２を開閉する扉体３が取り付けられている。
【０００５】
ボディ１ａとカバー１ｂとは、それぞれ例えばユリア樹脂のような熱硬化性樹脂からなり、施工面（図示せず）への取付のための取付枠を兼ねた組立枠４により結合されている。組立枠４は、ＪＩＳ  Ｃ  ８３７５に規定された取付枠に準じた寸法及び形状に形成され、３個モジュール寸法に形成された露出穴４１を有する。露出穴４１の左右には、それぞれ係合穴４２ａが左右に貫設されてＵ字形状に形成された結合片４２が、上下に並べて２個ずつ後方へ突設されている。また、係合穴４２ａの内周の前端には、当接突起４３が後方へ突設されている。ボディ１ａ及びカバー１ｂの左右の側面には、それぞれ結合突起１３ａ，１３ｂが上下に並べて２個ずつ突設されていて、カバー１ｂの結合突起１３ｂの前面には凹部１３ｃが設けられている。そして、各結合突起１３ａ，１３ｂが組立枠４の係合穴４２ａに挿入され、組立枠４の当接突起４３がカバー１ｂの結合突起１３ｂの凹部１３ｃに挿入されるとともにボディ１ａの結合突起１３ａの後面が組立枠４の結合片４２に係止されることによって、カバー１ｂの前面が露出穴４１から露出する形でボディ１ａとカバー１ｂとは結合している。さらに、既に述べたように組立枠４は施工面への取付用の取付枠を兼ねているので、組立枠４の上下両端部にはそれぞれ施工面への取付用の取付片４４が設けられている。各取付片４４には、それぞれ施工面に埋込配設される周知の埋込ボックス（図示せず）への取付用のボックスねじが挿通される左右に長い長円形状のボックス穴４４ａと、ボックス穴４４ａの左右にそれぞれ位置し、施工面がパネル材で構成されている場合にそのパネル材を取付片との間で挟む周知のはさみ金具（図示せず）が取り付けられるＬ字形状のはさみ穴４４ｂと、ボックス穴４４ａの上下のうち外側に位置し、前方から見て組立枠４を覆うプレート枠（図示せず）を取り付けるためのねじが挿通されるプレート穴４４ｃと、プレート穴４４ｃの左右にそれぞれ位置し、施工面を構成する壁材に螺合する直付け用のねじが挿通される直付け穴４４ｄとが、それぞれ前後に貫設されている。
【０００６】
各栓刃挿入口１０は、それぞれＪＩＳ  Ｃ  ８３０３に規定された定格１２５Ｖ、１５Ａ用の接地極付きプラグ（図示せず）に対応した形状であって、電圧側極の栓刃が挿入される上下に長い電圧側栓刃挿入口１０ａと、電圧側栓刃挿入口１０ａの左側に設けられ電圧側栓刃挿入口１０ａよりも上下に長く接地側極の栓刃（図示せず）が挿入される接地側栓刃挿入口１０ｂと、電圧側栓刃挿入口１０ａと接地側栓刃挿入口１０ｂとに挟まれた位置の下側に設けられ接地極の栓刃（図示せず）が挿入される接地栓刃挿入口１０ｃとからなる。下側の栓刃挿入口１０の接地栓刃挿入口１０ｃは、端子収納凹部１２の内側において、接地端子穴１２ｂの上端に設けられ前後に開放された逆Ｕ字形状の接地栓刃挿通凹部１０ｄと接地端子２との間に構成されている。
【０００７】
また、収納凹部１１には、収納凹部１１を左右に並んだ３個の収納室１１ａ〜１１ｃに仕切る仕切り突起１１ｄが突設されている。右側の収納室１１ａには電圧側極の充電部となる電圧側導電板５ａが収納され、左側の収納室１１ｂには接地側極の充電部となる接地側導電板５ｂが収納され、中央の収納室１１ｃには接地極の充電部となる接地導電板５ｃが収納されている。各導電板５ａ〜５ｃはそれぞれ金属板に打ち抜き加工と曲げ加工とが施されてなる。
【０００８】
電圧側導電板５ａ及び接地側導電板５ｂは、図１５に示すように、上下に並べて２個設けられそれぞれ後向きＵ字形状の端子部５１と、端子部５１の上下両側に設けられそれぞれ栓刃挿入口１０ａ，１０ｂから挿入された栓刃を厚さ方向（左右方向）の両側から弾性的に挟持する２個の刃受け部５２とを有する。
【０００９】
また、接地導電板５ｃは、図１６に示すように、上下に２個並べて設けられそれぞれ接地栓刃挿入口１０ｃから挿入された接地極の栓刃を左右両側から弾性的に挟持する接地刃受け部５３と、接地刃受け部５３間を連結する刃受け連結部５４と、刃受け連結部５４の下端から前方へ突設された端子連結部５５と、端子連結部５５の左右両端にそれぞれ設けられ設けられそれぞれ後向きＵ字形状の２個の端子部５１とを有する。連結部５４は、厚さ方向を前後方向に向けた上下に長い底部５４ａと、機械的強度の向上のために底部５４ａの左右両端からそれぞれ前方へ突設された補強リブ５４ｂと、補強リブ５４ｂの上端付近から前方へ突設されカバー１ｂの後面に当接する浮き止め部５４ｃとからなる。浮き止め部５４ｃは、栓刃が抜かれる際に接地刃受け部５３が前方へ引張られても接地導電板５ｃがハウジング１に対して前方に変位してしまうことを防ぐものである。
【００１０】
また、各導電板５ａ〜５ｃの端子部５１は、ボディ１ａに前後に貫設された電線挿入穴（図示せず）から導入された電線（図示せず）が接触導通する部位であって、端子部５１の内側に配置されて端子部５１の内面との間に上記電線を鎖錠する鎖錠ばね６１と、鎖錠ばね６１の鎖錠を解除するための解除釦６２とともに速結端子を構成する。具体的に説明すると、鎖錠ばね６１は例えば金属製の板ばねからなり、図１５に示すように、端子部５１の内面であって左右方向の内側の面に当接する本体部６１ａと、本体部６１ａの後端（図１５における下端）から左右方向の外向きにＵ字形状に曲成され前方へ向かって左右方向の外向きに傾斜し電線に食込むことにより抜け止め（鎖錠）する鎖錠部６１ｂとを有する。なお、図１５には、６個の端子部５１に１個ずつ設けられた鎖錠ばね６１のうち、電圧側導電板５ａ及び接地側導電板５ｂに対応する計４個の鎖錠ばね６１のみを図示している。また、解除釦６２は、図１７に示すように、ハウジング１の外側に位置する操作表示部６２ａと、操作表示部６２ａから上下に２個並べて内向きに突設された脚部６２ｂとを有する。ボディ１ａの収納凹部１１の左右両側には、収納凹部１１の内外に連通しボディ１ａの前方に開放されてカバー１ｂの後面との間で収納凹部１１の内外に連通した貫通穴を構成する切り欠き１１ｅが設けられており、解除釦６２は各脚部６２ｂがそれぞれ切り欠き１１ｅに挿通されることによりハウジング１に対して前後に変位可能に支持されている。ボディ１ａの左右の側面は、それぞれ前後方向の中央部を外側へ膨出させる曲面となっており、解除釦６２は、前後への変位時に操作表示部６２ａが上記曲面上を摺動することにより、前方への変位に伴って脚部６２ｂの収納凹部１１内への突出寸法を大きくするように僅かに回転する。
【００１１】
また、解除釦６２の各脚部６２ｂは収納凹部１１内においてそれぞれ鎖錠ばね６１に臨んでいる。電線が鎖錠ばね６１に鎖錠されているときに、操作表示部６２ａが前方へ変位するように操作されると、各脚部６２ｂが上記電線を挟んで互いに異なる側においてそれぞれ鎖錠ばね６１を押圧して弾性変形させることにより鎖錠が解除される。
【００１２】
さらに、解除釦６２は、収納凹部１１に収納された板ばねからなる表示ばね６３によってハウジング１に対して後向き（すなわち鎖錠解除時に操作される向きの逆向き）に付勢されている。端子部５１においてボディ１ａの電線挿入穴の前側には電線挿通穴５１ａが前後に貫設され、この電線挿通穴５１ａに対して左右方向の外側には係止突起５１ｂが前方へ突設されている。ここで、解除釦６２は、ハウジング１内で脚部６２ｂに挟まれる位置の前側に位置して掛止突起５１ｂに係脱自在に係止される被係止部６２ｃを有する。
【００１３】
そして、解除釦６２は、鎖錠ばね６１に電線が鎖錠されていない状態では、可動範囲の前側端部に位置し、被係止部６２ｃが係止突起５１ｂに係止されることで後方への移動を禁止されている。この状態で、電線挿入穴から挿入された電線が電線挿通穴５１ａを通過して被係止部６２ｃを前方へ押圧し、係止突起５１ｂの被係止部６２に対する係止が解除されると、解除釦６２は表示ばね６３のばね力によって一気に後方へ変位する。これを見て、使用者は電線の接続の完了を明確に知ることができる。
【００１４】
また、扉体３は例えば合成樹脂成形品からなり、図１８に示すように、接地端子収納凹部１２を覆う覆い部３１と、左右に並べて２個設けられそれぞれハウジング１に結合する結合部３２と、各結合部３２と覆い部３１との間にそれぞれ介在して他の部位よりも薄肉に形成されて覆い部３１を結合部３２に対して左右方向から見て回転可能に支持する連結部３３とを備える。各結合部３２の先部には、それぞれ左右方向であって他方の結合部３２に近付く方向に係合爪３２ａが突設されている。カバー１ｂにおいて接地端子穴１２ｂの上側には結合穴１４が左右に並べて２個、前後に貫設されており、扉体３は結合穴１４に結合部３２が挿通されて各係合爪３２ａがそれぞれカバー１ｂの後面に係合することにより、扉体３はハウジング１に結合している。以下、扉体３に関しては、閉じた状態での向きを基準として説明する。すなわち、覆い部３１は上端部において連結部３３を介して結合部３２に連結されている。覆い部３１の下端には、接地端子２に接続された接地線ＥＣ（図２０参照）が挿通される穴を接地端子収納凹部１２の下端との間に形成する挿通切り欠き３１ａが、左右に並べて２個設けられている。
【００１５】
さらに、覆い部３１の左右両端部には、それぞれ被係止凸部３４が後方へ突設され、各被係止突部３４の後端部には、それぞれ被係止爪３４ａが下方へ突設されている。扉体３を閉じた状態では、被係止爪３４ａがカバー１ｂの後面に係脱自在に係止されることにより、扉体３を開く方向への覆い部３１の回転が禁止される。被係止爪３４ａの係脱は、覆い部３１に力を加えて被係止凸部３４を弾性変形させることにより行う。
【００１６】
また、本体部３１の後面の左右両端部において被係止凸部３４の上側には、それぞれ被制限凸部３５が後方へ突設されている。接地端子穴１２ｂの内面には、扉体３を閉じた状態で被制限凸部３５が係入する制限凹部１２ｄが設けられている。扉体３が閉じられた状態で下向きの力を受けた場合、制限凹部１２ｄの下側の内面に被制限凸部３５が当接することにより、ハウジング１に対する本体部３１の下方への変位は禁止され、被係止凸部３４に応力がかかりにくくなって被係止凸部３４の破損が抑制されている。
【００１７】
また、本体部３１の上端部において左右方向の中央部には、ガイド突起３６が後方へ突設されている。ガイド突起３６が設けられていることにより、プラグの接続時には接地極の栓刃がガイド突起３６によってガイドされるから、ガイド突起３６を設けない場合に比べて接地極の栓刃が接地端子収納凹部１２の内面や接地端子２に引っかかりにくくなっている。また、ガイド突起３６により、扉体３の機械的強度が向上して破損が抑制されている。
【００１８】
次に、接地端子２について説明する。接地端子２は、ねじ穴２１ａが前後に貫設された接地端子板２１と、接地端子板２１のねじ穴２１ａに螺合する端子ねじ２２と、接地端子板２１のねじ穴２１ａに螺合する端子ねじ２２の螺合部２２ａが挿通されるねじ挿通穴２３ａが前後に貫設され端子ねじ２２の頭部２２ｂと接地端子板２１との間に挟まれ接地線ＥＣを接地端子板２１との間に挟持する座金２３とを備える。接地端子板２１及び座金２３は、それぞれ例えば金属板に打ち抜き加工と曲げ加工とが施されてなる。
【００１９】
接地端子板２１は、ねじ穴２１ａが貫設された左右に長い長方形状の本体部２１ｂと、本体部２１ｂの外周からそれぞれ後方（図１６の下方）へ突設された脚部２１ｃ，２１ｄ，２１ｅとを備える。本体部２１ｂにおいて、ねじ穴２１ａが設けられた部位にはバーリング加工が施されており、図１９に示すようにねじ穴２１ａの周囲は後方（図１９での下方）へ円環形状に突出している。また、上側（図１６の手前側）の脚部２１ｃにおいて、後端の中央部には切り欠き２１ｆが設けられて後端部が２又に分かれており、分かれた２個の後端部からそれぞれ上方に取付部２１ｇが突設されている。各取付部２１ｇにはそれぞれかしめ穴２１ｈが前後に貫設されており、接地導電板５ｃの各端子部５１にはそれぞれ前面（図１６の上面）にかしめ突起５１ｃが突設されていて、かしめ突起５１ｃがかしめ穴２１ｈに挿通されかしめられることにより、接地端子板２１は接地導電板５ｃに機械的且つ電気的に接続されている。ここにおいて、接地端子２は接地導電板５ｃとともに接地導電ブロックＥＢを構成する。
【００２０】
座金２３は、前方から見て左右に長い長方形状の右下端部と左下端部とにそれぞれ矩形状の導入切り欠き２３ｂが設けられた形状となっている。また、導入切り欠き２３ｂの上側において、座金２３の四隅付近がそれぞれ後方へ曲げられることにより、それぞれ左右の端に近い位置ほど後方への突出寸法が大きい抜け止め突起２３ｃ，２３ｄが設けられている。上側の抜け止め突起２３ｃは、座金２３において前方から見た導入切り欠き２３ｂの深さ方向すなわち上方向の端に位置する。
【００２１】
接地線ＥＣを接地端子２に接続したとき、すなわち座金２３と接地端子板２１との間に接地線ＥＣを挟持したときには、各抜け止め突起２３ｃ，２３ｄがそれぞれ接地線ＥＣに食い込むことにより、接地線ＥＣの脱落が防止される。また、各抜け止め突起２３ｃ，２３ｄの後方への突出寸法はそれぞれ左右の端に近い位置ほど大きくなっているから、接地線ＥＣが左右に脱落しにくい。
【００２２】
ここで、接地端子板２１の左右両端には、それぞれ上側の脚部２１ｃの前端部の左右の寸法を本体部２１ｂの左右の寸法よりも小さくする切り欠き２１ｉが設けられている。この切り欠き２１ｉにより、本体部２１ｂの左右両端部において上端面と前面との間には角が形成されていて、この角が接地線ＥＣに食い込むことにより、接地線ＥＣがさらに脱落しにくくなっている。
【００２３】
また、端子ねじ２２は、座金２３が着脱不可能に付随した座金付きねじとなっている。つまり、端子ねじ２２は、ねじ山を有する螺合部２２ａと頭部２２ｂとの間に、螺合部２２ａよりも外径が小さく座金２３のねじ挿通穴２３ａに挿通される細径部２２ｃを有する。また、座金２３のねじ挿通穴２３ａの内径は端子ねじ２２の螺合部２２ａの外径よりも小さく、座金２３の脱落は螺合部２２ａによって防止されている。さらに、細径部２２ｃの軸方向（前後方向）での長さ寸法は座金２３の厚さ寸法と略同じとしてある。これにより、端子ねじ２２の左右の片側でのみ座金２３と接地端子板２１との間に接地線ＥＣを挟んだ場合にも、座金２３の接地端子板２１に対する傾きやがたつきが抑えられ、座金２３及び接地端子板２１と接地線ＥＣとの接触面積が確保されている。
【００２４】
さらに、カバー１ｂにおいて、座金２３の導入切り欠き２３ｂの下側となる各部には、それぞれ前面が上方へ向かって後方へ傾斜したガイド部１２ｃが設けられている。すなわち、ガイド部１２ｃの前面に沿って接地線ＥＣを挿入することにより、図２０に示すように座金２３と接地端子板２１との間に容易に接地線ＥＣを導入することができる。すなわち、上側が請求項における接地線挿入方向の奥側であり、下側が請求項における接地線挿入方向の手前側である。
【００２５】
また、接地端子２には、図２１に示すように、接地線ＥＣの一端に設けられたＹ型圧着端子ＳＴを、端子ねじ２２の頭部２２ｂの後面と座金２３の前面との間に挟むことによって接続可能となっている。そして、カバー１ｂの前面において接地端子収納凹部１２の下側であって端子ねじ２２の頭部２２ｂの下側となる左右方向の中央部には、上下両側と前側とにそれぞれ開放された挿通切欠１２ａが設けられており、扉体３が閉じた状態では、挿通切欠１２ａと扉体３との間に、Ｙ型圧着端子ＳＴが挿通される隙間が形成される。
【００２６】
上記のように下側の接地栓刃挿入口１０ｃを接地端子収納凹部１２の内側に設ければ、下側の接地栓刃挿入口１０ｃを接地端子収納凹部１２の外側に設ける場合に比べ、接地端子２と接地栓刃挿入口１０ｃとの距離が小さくなるから小型化が可能となり、上記の例においては２組の栓刃挿入口１０と接地端子２とを備えつつもＪＩＳ  Ｃ  ８３７５に規定された取付枠に準じた寸法形状の組立枠４を使用可能となっている。
【特許文献１】実開平４−６１６９号公報
【発明の開示】
【発明が解決しようとする課題】
【００２７】
ここで、図２０のように端子ねじ２２の左右一方側（図では左側）において座金２３と接地端子板２１との間に接地線ＥＣが挿入された状態では、図２２に示すように下方から見て座金２３が端子ねじ２２を支点として接地端子板２１に対して回転することで、端子ねじ２２の他方側（図では右側）において座金２３と接地端子板２１との間の隙間が狭くなってしまい、上記他方側への２本目の接地線ＥＣの接続が困難となる。
【００２８】
本発明は、上記事由に鑑みて為されたものであり、その目的は、接地端子への２本目の接地線の接続が容易なコンセントを提供することにある。
【課題を解決するための手段】
【００２９】
請求項１の発明は、栓刃挿入口が少なくとも１組前面に設けられ施工面に取り付けられるハウジングと、それぞれハウジング内に収納され電源に電気的に接続されるとともに栓刃挿入口から挿入される栓刃に接触導通する複数個の刃受けと、ハウジングの前面の端部に設けられた端子収納凹部内に収納され前方から見てハウジングの外側となる接地線挿入方向から端子収納凹部内に導入された接地線が接続される接地端子とを備え、接地端子は、ハウジングに対して固定され前面に開口したねじ穴を有する接地端子板と、頭部を前方へ向けて接地端子板のねじ穴に螺合する端子ねじと、端子ねじが挿通されるねじ挿通穴を有し端子ねじの頭部と接地端子板との間に挟まれることにより厚さ方向を前後方向に向けて接地端子板の前側に取り付けられ接地端子板との間に接地線を挟持する座金とを有し、ハウジングには、前方から見て、接地線挿入方向に直交する方向での端子ねじの両側に、それぞれ、座金の前面に当接して座金の変位を制限する制限凸部が突設されていることを特徴とする。
【００３０】
この発明によれば、接地端子板に対する座金の回転であって接地線挿入方向から見た面内での回転が制限凸部によって制限されるから、接地線挿入方向から見て端子ねじの左右の一方側において接地線を座金と接地端子板との間に挿入したときの端子ねじを支点とする座金の回転によって端子ねじの他方側において座金と接地端子板との間の隙間が小さくなる程度を抑え、端子ねじの他方側への２本目の接地線の接続を比較的に容易とすることができる。
【００３１】
請求項２の発明は、請求項１の発明において、制限凸部は、端子ねじよりも接地線挿入方向の奥側に設けられていることを特徴とする。
【００３２】
この発明によれば、制限凸部を端子ねじよりも接地線挿入方向の手前側に設ける場合に比べ、接地端子板に対する座金の回転であって接地線挿入方向の手前側で接地端子板の前面と座金との間の隙間を大きくするような回転が可能となることにより、接地線の接続が容易となる。
【００３３】
請求項３の発明は、請求項１又は請求項２の発明において、ハウジングにおいて接地線挿入方向の手前側の端には、端子収納凹部の内外を連通させる挿通切欠が設けられていて、挿通切欠の幅寸法は、Ｙ型圧着端子の幅寸法よりも小さくされていることを特徴とする。
【００３４】
この発明によれば、挿通切欠にＹ型圧着端子を挿通不可能となるから、挿通切欠にＹ型圧着端子を挿通可能とする場合に比べ、座金と接地端子板との間へのＹ型圧着端子の誤挿入が抑制される。
【００３５】
請求項４の発明は、請求項１〜３のいずれかの発明において、座金の接地線挿入方向での手前側の端部において、前方から見て端子ねじの頭部に対して接地線挿入方向に並ぶ部位に、他の部位よりも後方に突出する阻止凸部を設けたことを特徴とする。
【００３６】
この発明によれば、阻止凸部により、座金と接地端子板との間へのＹ型圧着端子の誤挿入が抑制される。
【００３７】
請求項５の発明は、請求項１〜３のいずれかの発明において、座金に対して保持される被保持部と、端子ねじに対して接地線挿入方向の手前側に並ぶ位置において座金の接地線挿入方向での手前側の端面よりも後方に突出する阻止部とを有する阻止部材を備えることを特徴とする。
【００３８】
この発明によれば、阻止部材により、座金と接地端子板との間へのＹ型圧着端子の誤挿入が抑制される。
【００３９】
請求項６の発明は、請求項１〜５のいずれかの発明において、端子ねじの頭部と座金の前面との間にＹ型圧着端子を挿入するように指示するメッセージを表示した表示手段を備えることを特徴とする。
【００４０】
この発明によれば、表示手段により、Ｙ型圧着端子の正しい接続が使用者に対して促される。
【発明の効果】
【００４１】
請求項１の発明によれば、ハウジングには、前方から見て、接地線挿入方向に直交する方向での端子ねじの両側に、それぞれ、座金の前面に当接して座金の変位を制限する制限凸部が突設されているので、接地端子板に対する座金の回転であって接地線挿入方向から見た面内での回転が制限凸部によって制限されるから、接地線挿入方向から見て端子ねじの左右の一方側において接地線を座金と接地端子板との間に挿入したときの端子ねじを支点とする座金の回転によって端子ねじの他方側において座金と接地端子板との間の隙間が小さくなる程度を抑え、端子ねじの他方側への２本目の接地線の接続を比較的に容易とすることができる。
【００４２】
請求項２の発明によれば、制限凸部は、端子ねじよりも接地線挿入方向の奥側に設けられているので、制限凸部を端子ねじよりも接地線挿入方向の手前側に設ける場合に比べ、接地端子板に対する座金の回転であって接地線挿入方向の手前側で接地端子板の前面と座金との間の隙間を大きくするような回転が可能となることにより、接地線の接続が容易となる。
【００４３】
請求項３の発明によれば、ハウジングにおいて接地線挿入方向の手前側の端には、端子収納凹部の内外を連通させる挿通切欠が設けられていて、挿通切欠の幅寸法は、Ｙ型圧着端子の幅寸法よりも小さくされているので、挿通切欠にＹ型圧着端子を挿通不可能となるから、挿通切欠にＹ型圧着端子を挿通可能とする場合に比べ、座金と接地端子板との間へのＹ型圧着端子の誤挿入が抑制される。
【００４４】
請求項４の発明によれば、座金の接地線挿入方向での手前側の端部において、前方から見て端子ねじの頭部に対して接地線挿入方向に並ぶ部位に、他の部位よりも後方に突出する阻止凸部を設けたので、阻止凸部により、座金と接地端子板との間へのＹ型圧着端子の誤挿入が抑制される。
【００４５】
請求項５の発明によれば、座金に対して保持される被保持部と、端子ねじに対して接地線挿入方向の手前側に並ぶ位置において座金の接地線挿入方向での手前側の端面よりも後方に突出する阻止部とを有する阻止部材を備えるので、阻止部材により、座金と接地端子板との間へのＹ型圧着端子の誤挿入が抑制される。
【００４６】
請求項６の発明によれば、端子ねじの頭部と座金の前面との間にＹ型圧着端子を挿入するように指示するメッセージを表示した表示手段を備えるので、表示手段により、Ｙ型圧着端子の正しい接続が使用者に対して促される。
【発明を実施するための最良の形態】
【００４７】
以下、本発明を実施するための最良の形態について、図面を参照しながら説明する。
【００４８】
なお、本実施形態の基本構成はそれぞれ図１２〜図２２で説明した従来例と共通であるので、共通する部分については同じ符号を付して図示並びに説明を省略する。また、方向の表現についても上記従来例と同様とする。すなわち、上側が請求項における接地線挿入方向の奥側であり、下側が請求項における接地線挿入方向の手前側である。
【００４９】
本実施形態は、図１に示すように、端子収納凹部１２の下向きの内面において、接地栓刃挿通凹部１０ｄの左右両側から、それぞれ座金２３の前面の上端部に当接することにより座金２３の変位を制限する制限凸部１２ｅが下方に突設されている。各制限凸部１２ｅは、端子ねじ２２の左右の互いに異なる側において座金２３に当接する。
【００５０】
上記構成によれば、接地端子板２１に対する座金２３の回転であって下方から見た面内での図２２のような回転が、制限凸部１２ｅによって制限されるから、端子ねじ２２の左右の一方側において接地線ＥＣを座金２３と接地端子板２１との間に挿入したときの端子ねじ２２を支点とする座金２３の回転によって端子ねじ２２の他方側において座金２３と接地端子板２１との間の隙間が小さくなる程度が抑えられ、端子ねじ２２の他方側への２本目の接地線ＥＣの接続が比較的に容易となる。
【００５１】
ここで、制限凸部１２ｅは、端子ねじ２２の左右両側にそれぞれ設ければよいので、例えば図２に示すように、端子収納凹部１２において左右に対向する内面にそれぞれ制限凸部１２ｅを突設することで、各制限凸部１２ｅをそれぞれ座金２３の上下方向の中央部に当接させることも考えられる。しかしながら、図１のように接地線挿入方向の奥側である上端部に当接させたほうが、図３に示すように接地端子板２１に対する座金２３の回転であって上端部に対して下端部を接地端子板２１から離すような回転が可能となり、接地線ＥＣの接続がより容易となるから望ましい。
【００５２】
ところで、Ｙ型圧着端子ＳＴを接地端子２に接続する場合、Ｙ型圧着端子ＳＴは図２１に示したように端子ねじ２２の頭部２２ｂの後面と座金２３の前面との間に挿入しなければならないが、もし図４に示すように座金２３と接地端子板２１との間にＹ型圧着端子ＳＴを誤挿入してしまった場合、端子ねじ２２を締め付けたとき、Ｙ型圧着端子ＳＴにより、ハウジング１において端子収納凹部１２の下側の部位に無理な力が加わり、ハウジング１の上記部位が破損してしまう可能性がある。
【００５３】
そこで、上記のようなＹ型圧着端子ＳＴの誤挿入を防止するために、図５及び図６に示すように、挿通切欠１２ａの幅寸法（すなわち、左右の寸法）を、Ｙ型圧着端子ＳＴの幅寸法よりも小さくしてもよい。この構成を採用すれば、挿通切欠１２ａを通じてはＹ型圧着端子ＳＴを座金２３と接地端子板２１との間には導入することができないから、挿通切欠１２ａの幅寸法をＹ型圧着端子ＳＴの幅寸法よりも大きくする場合に比べ、座金２３と接地端子板２１との間へのＹ型圧着端子ＳＴの誤挿入（以下、単に「Ｙ型圧着端子ＳＴの誤挿入」と呼ぶ。）が抑制される。
【００５４】
また、Ｙ型圧着端子ＳＴの誤挿入を抑制する方法としては、他に、図７及び図８に示すように、座金２３の接地線挿入方向での手前側の端部である下端部において、前方から見て端子ねじ２２の頭部２２ｂの下側となる左右方向の中央部から、阻止凸部２３ｅを後方へ突設してもよい。又は、図９に示すように、座金２３に対して例えば座金２３と端子ねじ２２の頭部２２ｂとの間に挟まれることによって保持される被保持部２４ａと、端子ねじ２２に対して接地線挿入方向の手前側である下側（図９での右側）に並ぶ位置において座金２３の下端面（図９での右端面）よりも後方（図９での下方）に突出する阻止部２４ｂとを有する阻止部材２４を設けてもよい。上記構成を採用すれば、阻止凸部２３ｅや阻止部材２４により、Ｙ型圧着端子ＳＴの誤挿入が抑制される。
【００５５】
さらに、Ｙ型圧着端子ＳＴの正しい接続を使用者に対して促すために、端子ねじ２２の頭部２２ｂと座金の前面との間にＹ型圧着端子を挿入するように指示するメッセージを表示した表示手段を設けてもよい。表示手段としては、例えば、図１０に示すように、扉体３の本体部３１において、扉体３が完全に開かれた状態で前方に向けられる面（つまり、扉体３が閉じられた状態での後面）に上記メッセージ３１ｂを印字することで、扉体３を表示手段としてもよい。または、図１１に示すように、組立枠４の前側に取り付けられカバー１ｂの前面を前方に露出させる長方形状の露出穴７１を有して前方から見て組立枠４を覆う化粧プレート７の前面に貼り付けるように、上記メッセージが印字されたシール８を添付してもよい。
【図面の簡単な説明】
【００５６】
【図１】本発明の実施形態の要部を示す、扉体を省略した斜視図である。
【図２】同上の別の形態を示す、扉体を省略した斜視図である。
【図３】図２の形態に対する図１の形態の利点を示す説明図である。
【図４】従来例においてＹ型圧着端子が誤挿入された状態の要部を示す、扉体を省略した斜視図である。
【図５】本発明の実施形態の別の形態のカバーを示す斜視図である。
【図６】図５の形態の挿通切欠の寸法とＹ型圧着端子の寸法との関係を示す説明図である。
【図７】同上の更に別の形態の要部を示す斜視図である。
【図８】図７の形態の要部を示す断面図である。
【図９】同上の別の形態の要部を示す断面図である。
【図１０】同上の更に別の形態における扉体の要部を示す背面図である。
【図１１】同上の別の形態に化粧プレートが取り付けられた状態を示す正面図である。
【図１２】従来例を示す正面図である。
【図１３】同上において扉体を取り外した状態を示す正面図である。
【図１４】同上を示す分解斜視図である。
【図１５】同上の電圧側導電板と接地側導電板と鎖錠ばねとを示す斜視図である。
【図１６】同上の接地導電ブロックを示す分解斜視図である。
【図１７】同上のボディと解除釦とを示す斜視図である。
【図１８】同上のカバーと扉体とを示す斜視図である。
【図１９】同上の要部を示す断面図である。
【図２０】接地端子に接地線が接続された同上の要部を示す、扉体を省略した斜視図である。
【図２１】接地端子にＹ型圧着端子が接続された同上の要部を示す、扉体を省略した斜視図である。
【図２２】従来例の課題を示す説明図である。
【符号の説明】
【００５７】
１  ハウジング
２  接地端子
３  扉体（請求項における表示手段）
８  シール（請求項における表示手段）
１０  栓刃挿入口
１２  端子収納凹部
１２ａ  挿通切欠
１２ｅ  制限凸部
２１  接地端子板
２１ａ  ねじ穴
２２  端子ねじ
２２ｂ  頭部
２３  座金
２３ａ  ねじ挿通穴
２３ｅ  阻止凸部
２４  阻止部材
２４ａ  被保持部
２４ｂ  阻止部
５２  刃受け部
５３  接地刃受け部
ＥＣ  接地線
ＳＴ  Ｙ型圧着端子
【図１】
2009238533.tif 000003
【図２】
2009238533.tif 000004
【図３】
2009238533.tif 000005
【図４】
2009238533.tif 000006
【図５】
2009238533.tif 000007
【図６】
2009238533.tif 000008
【図７】
2009238533.tif 000009
【図８】
2009238533.tif 000010
【図９】
2009238533.tif 000011
【図１０】
2009238533.tif 000012
【図１１】
2009238533.tif 000013
【図１２】
2009238533.tif 000014
【図１３】
2009238533.tif 000015
【図１４】
2009238533.tif 000016
【図１５】
2009238533.tif 000017
【図１６】
2009238533.tif 000018
【図１７】
2009238533.tif 000019
【図１８】
2009238533.tif 000020
【図１９】
2009238533.tif 000021
【図２０】
2009238533.tif 000022
【図２１】
2009238533.tif 000023
【図２２】
2009238533.tif 000024